(57)【要約】  ホイールディスクは、ホイール軸を画定するホイール取付け部と、ホイール取付け部から半径方向に延在する複数のスポークと、複数のスポークのうちの少なくとも１つのスポークのリム接合部とを備える。リム接合部は、少なくとも１つのスポークの、ホイール取付け部に対向する端部に存在する。リム接合部の第１の部分は、軸方向に延在する。リム接合部の第２の部分および第３の部分は、周方向に延在する。軸方向は、ホイール軸に平行であり、周方向は、ホイール軸に対して垂直な平面に存在する。【選択図】図１
2019528208.tif 000002
【特許請求の範囲】
【請求項１】
ホイール軸を画定するホイール取付け部と、
前記ホイール取付け部から半径方向に延在する複数のスポークと、
前記複数のスポークのうちの少なくとも１つのスポークのリム接合部であって、前記リム接合部が、前記少なくとも１つのスポークの、前記ホイール取付け部に対向する端部に存在し、
前記リム接合部の第１の部分が、軸方向に延在し、
前記リム接合部の第２の部分および第３の部分が、周方向に延在し、
前記軸方向が、前記ホイール軸に平行であり、前記周方向が、前記ホイール軸に対して垂直な平面に存在する、リム接合部とを備える、
ホイールディスク。
【請求項２】
前記ホイールディスクが、一体部品の鋳造アルミニウム車両ホイールを生産する鋳造プロセスによってホイールリムおよび前記ホイールディスクを生産することにより、前記ホイールリムに固定されるように構成されるか、または適した手段で別々に形成されるホイールリムに固定されて、組み立てた車両ホイールを生産するように構成され、前記組み立てた車両ホイールの前記ホイールディスクおよび前記ホイールリムが、同様の材料または異なる材料で形成される、請求項１に記載のホイールディスク。
【請求項３】
前記第１の部分の、前記周方向における第１の厚みと、
前記第１の部分の、前記軸方向における高さであって、前記高さが、前記第１の厚みより大きい、高さと、
前記第２の部分および前記第３の部分の、前記周方向における長さと、
前記第２の部分および前記第３の部分の、前記軸方向における第２の厚みであって、前記長さが、前記第２の厚みより大きい、第２の厚みとをさらに備える、
請求項１に記載のホイールディスク。
【請求項４】
前記第１の部分と前記第２の部分との間の第１の角度と、
前記第１の部分と前記第３の部分との間の第２の角度とをさらに備える、
請求項１に記載のホイールディスク。
【請求項５】
前記リム接合部が、ホイールリムに前記ホイールディスクを固定する、請求項１に記載のホイールディスク。
【請求項６】
前記ホイールリムの外側縁部と、前記ホイールディスクの、前記ホイールリムから最も遠い区域との間のリムオフセット距離をさらに備える、
請求項５に記載のホイールディスク。
【請求項７】
前記複数のスポークのうちの隣り合うスポーク同士の間にまたがるブリッジ接合部をさらに備える、
請求項１に記載のホイールディスク。
【請求項８】
前記ホイール取付け部の、周方向に間隔を空けて配置される複数のラグボルト受け穴と、
前記ホイール取付け部の少なくとも１つのハブポケットであって、前記少なくとも１つのハブポケットが、前記ホイールディスクの内面から前記ホイール取付け部の中へと前記軸方向に延在し、前記複数のラグボルト受け穴のうちの２つのラグボルト受け穴の間の空間に配置される、少なくとも１つのハブポケットと、
前記少なくとも１つのハブポケットの底面壁部と、
前記ホイール取付け部の内側リングとをさらに備え、前記内側リング、前記底面壁部、および前記２つのラグボルト受け穴が、前記少なくとも１つのハブポケットを画定する、
請求項１に記載のホイールディスク。
【請求項９】
前記２つのラグボルト受け穴の間の前記少なくとも１つのハブポケットの側壁であって、前記側壁が、前記軸方向に延在し、前記ホイール取付け部の半径方向外方の区域であり、さらに、前記少なくとも１つのハブポケットを画定する、側壁と、
前記側壁のハブポケット開口とをさらに備える、
請求項８に記載のホイールディスク。
【請求項１０】
接線になるように前記複数のラグボルト受け穴を連結する外側リングであって、前記外側リングが、さらに、前記少なくとも１つのハブポケットを画定する、外側リングをさらに備える、
請求項８に記載のホイールディスク。
【請求項１１】
前記少なくとも１つのスポークの、半径方向に延在するスポークポケットであって、前記スポークポケットが、スポークポケット深さを有する、半径方向に延在するスポークポケットと、
前記スポークポケットの第１の端部であって、前記第１の端部は、前記ホイール取付け部に隣り合う、前記スポークポケットの第１の端部と、
前記スポークポケットの第２の端部であって、前記第２の端部は、前記リム接合部に隣り合う、前記スポークポケットの第２の端部とをさらに備え、前記スポークポケット深さは、前記第１の端部と前記第２の端部との間で減少する、
請求項１に記載のホイールディスク。
【請求項１２】
前記ホイール取付け部の複数のラグボルト受け穴であって、前記複数のラグボルト受け穴が、前記ホイール取付け部において、周方向に間隔を空けて配置される、複数のラグボルト受け穴と、
前記ホイールディスクの外面から前記ホイール取付け部の中へと、前記複数のラグボルト受け穴のうちの少なくとも１つの前記ラグボルト受け穴へ向けて延在する、少なくとも１つのナットポケットと、
前記少なくとも１つのナットポケットのナットポケット側壁であって、前記ナットポケット側壁は、前記軸方向に延在する、少なくとも１つのナットポケット側壁とをさらに備える、
請求項１に記載のホイールディスク。
【請求項１３】
前記ホイール取付け部と前記少なくとも１つのスポークとの間の少なくとも１つのスポーク開始部であって、前記スポーク開始部が、前記少なくとも１つのスポークのスポーク高さよりも大きい、前記軸方向のスポーク開始高さを有する、少なくとも１つのスポーク開始部をさらに備える、
請求項１に記載のホイールディスク。
【請求項１４】
前記ホイールディスクの外面と、
前記ホイールディスクの内面であって、前記内面が、前記外面に対向する、内面と、
前記ホイール取付け部のパイロット開口と、
前記ホイール取付け部の複数のラグボルト受け穴とをさらに備え、前記複数のラグボルト受け穴が、前記パイロット開口の周りで周方向に間隔を空けて配置される、
請求項１に記載のホイールディスク。
【請求項１５】
適した材料から形成されるホイールリムと、
適した材料から形成され、前記ホイールリムに固定されるように構成されるホイールディスクであって、前記ホイールディスクが、ホイール軸を画定するホイール取付け部を有する、ホイールディスクと、
前記ホイール取付け部から前記ホイールリムへと半径方向に延在する複数のスポークと、
前記複数のスポークのうちの少なくとも１つのスポークと前記ホイールリムとの間のリム接合部であって、
前記リム接合部の第１の部分が、軸方向に延在し、
前記リム接合部の第２の部分および第３の部分が、周方向に延在し、前記軸方向が、前記ホイール軸に平行であり、前記周方向が、前記ホイール軸に対して垂直な平面に存在する、リム接合部と、
前記少なくとも１つのスポークの、半径方向に延在するスポークポケットであって、前記スポークポケットが、スポークポケット深さを有する、半径方向に延在するスポークポケットと、
前記スポークポケットの第１の端部であって、前記第１の端部は、前記ホイール取付け部に隣り合う、前記スポークポケットの第１の端部と、
前記スポークポケットの第２の端部であって、前記第２の端部は、前記リム接合部に隣り合う、前記スポークポケットの第２の端部とを備え、前記スポークポケット深さは、前記第１の端部と前記第２の端部との間で減少する、
車両ホイール。
【請求項１６】
前記スポークポケット深さが一定である、前記スポークポケットの第１の領域と、
前記スポークポケット深さが減少している、前記スポークポケットの第２の領域とをさらに備える、
請求項１５に記載のホイールディスク。
【請求項１７】
前記スポークポケットのスポークポケット長さであって、前記スポークポケット長さが、前記スポークポケット深さより大きい、スポークポケット長さをさらに備える、
請求項１５に記載の車両ホイール。
【請求項１８】
前記ホイールディスクの外面であって、前記スポークポケットが、前記外面から前記少なくとも１つのスポークの中へと延在する、外面をさらに備える、
請求項１５に記載の車両ホイール。
【請求項１９】
適した材料から形成されるホイールリムと、
適した材料から形成され、前記ホイールリムに固定されるように構成されるホイールディスクであって、前記ホイールディスクが、ホイール軸を画定するホイール取付け部を有する、ホイールディスクと、
前記ホイール取付け部から前記ホイールリムへと半径方向に延在する複数のスポークと、
前記ホイール取付け部の、周方向に間隔を空けて配置される複数のラグボルト受け穴と、
前記ホイール取付け部の少なくとも１つのハブポケットであって、前記少なくとも１つのハブポケットが、前記ホイールディスクの内面から前記ホイール取付け部の中へと軸方向に延在し、前記複数のラグボルト受け穴のうちの２つのラグボルト受け穴の間の空間に配置される、少なくとも１つのハブポケットと、
前記少なくとも１つのハブポケットの底面壁部と、
前記ホイール取付け部の内側リングであって、前記内側リング、前記底面壁部、および前記２つのラグボルト受け穴が、前記少なくとも１つのハブポケットを画定する、内側リングと、
前記２つのラグボルト受け穴の間の前記少なくとも１つのハブポケットの側壁であって、前記側壁が、前記軸方向に延在し、前記ホイール取付け部の半径方向外方の区域であり、さらに、前記少なくとも１つのハブポケットを画定する、側壁と、
前記側壁のハブポケット開口とを備える、
車両ホイール。
【請求項２０】
前記複数のスポークのうちの少なくとも１つのスポークと前記ホイールリムとの間のリム接合部をさらに備え、
前記リム接合部の第１の部分が、前記軸方向に延在し、
前記リム接合部の第２の部分および第３の部分が、周方向に延在し、前記軸方向が、前記ホイール軸に対して平行であり、前記周方向が、前記ホイール軸に対して垂直な平面に存在する、
請求項１９に記載の車両ホイール。
【発明の詳細な説明】
【技術分野】
【０００１】
[0001]本発明は、概して車両ホイールディスクおよび車両ホイールに関し、詳細には、改良型のホイールディスク、このようなホイールディスクを含む車両ホイール、ならびにこのようなホイールディスクおよび車両ホイールの生産方法に関する。
【背景技術】
【０００２】
[0002]自動車両用のホイールは、ホイールの重量を軽くするために、軽量の金属から生産される場合がある。たとえば車両ホイールは、アルミニウム、またはアルミニウム合金から生産されることがある。このようなホイールの重量は、ホイールから質量、たとえば材料を取り除くことにより、さらに軽くされ得る。しかし、ホイールから質量を取り除くことにより、ホイールのスチフネスおよび剛性も低くなる。ホイールのスチフネスおよび剛性が低くされると、ホイールの性能が損なわれる恐れがある。したがって、スチフネスおよび剛性を低くすることなしに、ホイールから質量を取り除くことが望ましいはずである。
【発明の概要】
【課題を解決するための手段】
【０００３】
[0003]本明細書に例示および／または説明されるように、本発明は、改良型のホイールディスク、このようなホイールディスクを含む車両ホイール、ならびにこのようなホイールディスクおよび車両ホイールの生産方法に関する。
【０００４】
[0004]一実施形態によれば、ホイールディスク、およびこのようなホイールディスクを含む車両ホイールは、個々に、かつ／または組み合わせて、以下の特徴、要素または利点のうちの１つまたは複数を備えることができる：（１）関連付けられたスポークに追加的なスチフネスを提供し、車両ホイールの関連付けられたスポークとホイールリムとの間の連結を向上させる、「ジェット機尾部」形状のリム接合部、（２）車両ホイールに追加的な剛性を提供する、スポークの隣り合う対同士の間のブリッジ接合部であって、ブリッジ接合部は、均一な厚みを有してもよく、一様でない厚みを有してもよく、かつ／またはホイールに単一のより大きい開口を提供するために無くされてもよく、ブリッジ接合部によって連結される独立したスポークにより、性能を低下させることなく車両ホイールの重量が減じられ、ブリッジ接合部の内側面は、鋳造上の問題を避けるために大きい厚みを有し、後に機械加工で取り去られ得る、ブリッジ接合部、（３）ホイールマウント表面の内側面から延在するハブポケットであって、ハブポケットは、深く、かつ開口しており、ハブポケットにより、性能を低下させることなく車両ホイールの重量が減じられる、ハブポケット、（４）ハブポケットの側壁のハブポケット開口、（５）ハブポケット開口を画定する、ホイール取付け部の外側リング（または外側リングは無くされてもよい）、（６）スポークのスポークポケットであって、スポークポケットは、高い／高められた、くぼんだ一様でない部分を有し、重量を減らし、スポークに追加的なスチフネスを提供する、スポークポケット、（７）深く、スポークに追加的なスチフネスを提供するナットポケット、（８）大きくされた高さを有してスポークに追加的なスチフネスを提供するスポーク開始部分、（９）車両ホイールに追加的なスチフネスを提供するリムオフセット距離、（１０）ホイールリムと共にホイールディスクを鋳造して、重量がより軽い、一体部品の鋳造アルミニウム車両ホイールを生産するか、または別法として（任意の適した材料から形成される）別々に形成されるホイールディスクを生産し、次いで（ホイールディスクの材料と同じでもよく異なっていてもよい任意の適した材料から形成される）別々に形成されるホイールリムにホイールディスクを固定して、組み立てた車両ホイールの重量を減じる、柔軟性、（１１）高いホイールオフセットを保持でき、適切なブレーキクリアランスも提供できること、および（１２）ホイールディスクの任意の部分におけるホイールディスク鋳造上のいかなる制約も、鋳造中に内側／外側（すなわち裏側／表側）の厚みを追加することによって保証／補償され得、追加された材料は、後に機械加工で取り去られて、ホイールディスク、したがってこのようなホイールディスクを含む車両ホイールの所望の最終重量を提供できること。
【０００５】
[0005]別の実施形態によれば、ホイールディスク、およびこのようなホイールディスクを含む車両ホイールは、個々に、かつ／または組み合わせて、以下の特徴、要素、または利点のうちの１つまたは複数を備えることができる：ホイール軸を有するホイール取付け部と、ホイール取付け部から半径方向に延在する複数のスポークと、複数のスポークのうちの少なくとも１つのスポークのリム接合部とを備えるホイールディスク。リム接合部は、少なくとも１つのスポークの、ホイール取付け部に対向する端部に存在する。リム接合部の第１の部分は、軸方向に延在する。リム接合部の第２の部分および第３の部分は、周方向に延在する。軸方向は、ホイール軸に平行であり、周方向は、ホイール軸に対して垂直な平面に存在する。
【０００６】
[0006]別の実施形態によれば、ホイールディスク、およびこのようなホイールディスクを含む車両ホイールは、個々に、かつ／または組み合わせて、以下の特徴、要素、または利点のうちの１つまたは複数を備えることができる：車両ホイールは、ホイールリムとホイールディスクとを備える。ホイールリムおよびホイールディスクは、それぞれ適した材料から形成される。ホイールディスクは、ホイールリムに固定されるように構成される。ホイールディスクは、ホイール軸を有するホイール取付け部と、ホイール取付け部から半径方向に延在する複数のスポークと、複数のスポークのうちの少なくとも１つのスポークのリム接合部とを有する。リム接合部は、複数のスポークのうちの少なくとも１つのスポークとホイールリムとの間に存在する。リム接合部の第１の部分は、軸方向に延在する。リム接合部の第２の部分および第３の部分は、周方向に延在する。軸方向は、ホイール軸に平行であり、周方向は、ホイール軸に対して垂直な平面に存在する。少なくとも１つのスポークは、半径方向に延在するスポークポケットを有する。スポークポケットは、スポークポケット深さを有する。スポークポケットの第１の端部はホイール取付け部に隣り合い、スポークポケットの第２の端部はリム接合部に隣り合う。スポークポケット深さは、第１の端部と第２の端部との間で減少する。
【０００７】
[0007]別の実施形態によれば、ホイールディスク、およびこのようなホイールディスクを含む車両ホイールは、個々に、かつ／または組み合わせて、以下の特徴、要素、または利点のうちの１つまたは複数を備えることができる：車両ホイールは、ホイールリムとホイールディスクとを備える。ホイールリムおよびホイールディスクは、それぞれ適した材料から形成される。ホイールディスクは、ホイールリムに固定されるように構成される。ホイールディスクは、ホイール軸を有するホイール取付け部と、ホイール取付け部から半径方向に延在する複数のスポークと、ホイール取付け部の、周方向に間隔を空けて配置される複数のラグボルト受け穴と、ホイール取付け部の少なくとも１つのハブポケットとを有する。少なくとも１つのハブポケットは、ホイールディスクの内面からホイール取付け部の中へと軸方向に延在し、複数のラグボルト受け穴のうちの２つのラグボルト受け穴の間の空間に配置され、底面壁部を有する。ホイール取付け部の内側リング、底面壁部、および２つのラグボルト受け穴は、少なくとも１つのハブポケットを画定する。少なくとも１つのハブポケットの側壁が、２つのラグボルト受け穴の間に存在する。側壁は、軸方向に延在し、ホイール取付け部の半径方向外方の区域であり、さらに、少なくとも１つのハブポケットを画定する。ハブポケット開口が、側壁に存在する。
【０００８】
[0008]ホイールディスクおよびホイールディスクを含む車両ホイールの一実施形態の、１つまたは複数の潜在的な利点および／または認識されている利点には、剛性およびスチフネスの低下なしに、質量が減じられることが含まれる。本発明の他の利点は、添付図面に照らして読まれたとき、本発明および好ましい実施形態の以下の詳細な説明から、当業者には明らかになろう。
【図面の簡単な説明】
【０００９】
【図１】[0009]本発明による車両ホイールおよびホイールディスクの第１の実施形態の斜視図である。
【図２】[0010]図１の車両ホイールの追加的な斜視図である。
【図２Ａ】[0011]リム接合部を示す図２の第１の拡大部を示す図である。
【図２Ｂ】[0012]スポークポケットを示す図２の第２の拡大部を示す図である。
【図２Ｃ】[0013]ナットポケットを示す図２の第３の拡大部を示す図である。
【図３】[0014]図１の車両ホイールの反対側を示す斜視図である。
【図３Ａ】[0015]ハブポケットを示す図３の拡大部を示す図である。
【図４】[0016]図１の線４−４に沿って取られた断面図である。
【図５】[0017]図１の車両ホイールの立面図である。
【図６】[0018]図１の車両ホイールの追加的な立面図である。
【図７】[0019]ブリッジ部が無くされた、図１の車両ホイールの立面図である。
【図８】[0020]本発明による車両ホイールおよびホイールディスクの第２の実施形態の部分斜視図である。
【図８Ａ】[0021]リム接合部およびスポークポケットを示す図８の拡大部を示す図である。
【図９】[0022]図８の車両ホイールの立面図である。
【図１０】[0023]本発明による車両ホイールおよびホイールディスクの第３の実施形態の立面図である。
【図１０Ａ】[0024]リム接合部を示す図１０の拡大部を示す図である。
【図１１】[0025]図１０の車両ホイールの追加的な立面図である。
【図１２】[0026]図１０の車両ホイールの斜視図である。
【図１３】[0027]本発明による車両ホイールおよびホイールディスクの第４の実施形態の斜視図である。
【図１３Ａ】[0028]リム接合部を示す図１３の拡大部を示す図である。
【図１４】[0029]図１３の車両ホイールの追加的な斜視図である。
【発明を実施するための形態】
【００１０】
[0030]ここで図面を参照すると、図１〜図７には、全体を１００で示す、車両ホイールの第１の実施形態が示されている。車両ホイール１００は、全体を１０２で示す「内側の」ホイールディスクまたは正面部と、全体を１０４で示す「フル」ホイールリムとを備える。本発明は本明細書に開示される特定の車両ホイール構造と併せて例示および説明されるが、本発明は、他のタイプの車両ホイール構造と共に使用されてもよいことが理解されよう。
【００１１】
[0031]図示されているように、ホイールディスク１０２とホイールリム１０４とは、たとえば単一の鋳造物として、一体に、または一体式構造で生産される。別法として、ホイールディスク１０２とホイールリム１０４とは、たとえば別々の鋳造物および／または非鋳造物として別々に生産され、次いで適した手段で互いに接合されて、「組み立てた」車両ホイール１００を生み出してもよい。車両ホイール１００は、アルミニウムまたはアルミニウム合金から形成される、単一の鋳造物で生産されることが好ましい。別法として、車両ホイール１００は、任意の適した材料から形成されてもよい。非限定的な例として、車両ホイール１００（すなわちホイールディスク１０２およびホイールリム１０４の一方または両方）は、一体に（すなわち単一のユニットとして）形成されてもよく、別々の構成要素として形成され、適した手段で互いに固定されてもよく、またアルミニウム、マグネシウム、チタン、もしくはこれらの合金、鋼、炭素繊維および／または複合材料を含むがこれらに限定はされない、同様の材料および／または異なる材料から形成されてもよい。
【００１２】
[0032]図示されているホイールディスク１０２は、ホイール軸Ｘ（図４に示される）を画定する。ホイールディスク１０２は、概ね中心に位置付けられるホイール取付け部またはハブ部１０６と、ホイール取付け部１０６から外方へ延在する複数のスポーク１０８とを含む。ホイール取付け部１０６は、ホイール取付け部高さ１１０を有する。ホイールディスク１０２は、対向する外面１１２と内面１１４とを有する。
【００１３】
[0033]図示されている実施形態では、ホイールディスク１０２は、こうした５本のスポーク１０８を含み、これらはホイール取付け部１０６およびホイールリム１０４と一体に形成されるように示されている。別法として、スポーク１０８の数は、そう所望される場合、示されている以外の数であってもよい。たとえば、車両ホイール１００は、５本未満のスポーク１０８を含んでもよく、５本を超えるスポーク１０８を含んでもよい。別法として、スポーク１０８は、個々に形成され、適した手段でホイールリム１０４およびホイール取付け部１０６に固定されてもよく、ホイールリム１０４は、スポーク１０８と互いに一体に形成されるがホイール取付け部１０６とは別々にされ、適した方法でホイール取付け部１０６に接合されてもよい。
【００１４】
[0034]図示されている実施形態では、ホイール取付け部１０６には、中心に位置付けられるパイロット開口またはハブ穴１１６が提供される。パイロット開口１１６は、ホイール軸Ｘに沿って延在する。複数のラグボルト受け穴１１８が、（ホイール取付け部１０６の）パイロット開口１１６の周りに周方向に間隔を空けて配置される。図示されている実施形態では、ホイール取付け部１０６は５つのラグボルト受け穴１１８を含み、これらは、各スポーク１０８のうちのそれぞれ１つと半径方向に「一直線に」、ホイール取付け部１０６に提供されることが好ましい。別法として、ラグボルト受け穴１１８の数および／または場所は、そう所望される場合、示されている以外のものであってもよい。ラグボルト受け穴１１８は、ラグボルト（図示せず）を受けて、ナット（図示せず）を用いて関連付けられる車両の車軸（図示せず）に車両ホイール１００を固定する。
【００１５】
[0035]全体を１２０で示され、図２Ａに最もよく示されている「ジェット機尾部」または「隆起したＴ字形状」のリム接合部が、ホイールリム１０４にスポーク１０８を連結、固定、または接合する。したがって、リム接合部１２０は、ホイール取付け部１０６に対向する、スポーク１０８の端部に存在する。非限定的な例として、「ジェット機尾部」または「隆起したＴ字形状」のリム接合部１２０は、関連付けられるスポーク１０８に追加的なスチフネスを与え、スポーク１０８とホイールリム１０４との間の連結部を提供する。リム接合部１２０は、第１の部分または第１の尾部１２２と、第２の部分または第２の尾部１２４と、第３の部分または第３の尾部１２６とを有する。
【００１６】
[0036]第１の部分１２２は軸方向１２８に延在し、軸方向１２８はホイール軸Ｘに平行である。図示されているように、第１の部分１２２は、軸方向１２８に、スポーク１０８からホイールリム１０４の外側縁部１３０に向かって延在する。外側縁部１３０は、車両ホイール１００が固定される車両から外側寄りの、ホイールリム１０４の縁部である。別法として、リム接合部１２０は、示されている構成から「逆」にされてもよく、たとえば、第１の部分１２２は、外側縁部１３０ではなく、内側縁部１５２に向かって延在してもよい。内側縁部１５２は、車両ホイール１００が固定される車両に対して内側寄りの、ホイールリム１０４の縁部である。さらに、内側縁部１５２は、ホイールリム１０４上で外側縁部１３０に対向する。図示されているように、第１の部分１２２は、スポーク１０８のスポーク中心線１３２について対称であり、スポーク中心線１３２は、ホイール取付け部１０６からホイールリム１０４へと半径方向に延在する。別法として、第１の部分１２２は、スポーク中心線１３２について対称以外でもよい。
【００１７】
[0037]第１の部分１２２は、ホイール取付け部１０６に最も近い端部では第１の厚み１３４を有し、ホイールリム１０４では第２の厚み１３６を有する。第１の厚み１３４および第２の厚み１３６は、スポーク中心線１３２に対して横方向に測定される。図示されているように、第２の厚み１３６は、第１の厚み１３４より小さい。別法として、第２の厚み１３６が第１の厚み１３４より大きくてもよく、第１の厚み１３４と第２の厚み１３６とが等しくてもよい。好ましくは、１９×４．５の一体部品の鋳造アルミニウムホイールにおいては、第１の厚み１３４は１０ミリメートル〜３０ミリメートルの範囲からなり、第２の厚み１３６は５ミリメートル〜５０ミリメートルの範囲からなる。より好ましくは、第１の厚み１３４は１０ミリメートル〜３０ミリメートルの範囲からなり、第２の厚み１３６は５ミリメートル〜３０ミリメートルの範囲からなる。各第１の部分１２２は、同じ第１の厚み１３４および同じ第２の厚み１３６を有してもよい。別法として、第１の部分１２２のうちの１つまたは複数は、異なる第１の厚み１３４または異なる第２の厚み１３６を有してもよい。また、本明細書で用いるあらゆる範囲は、上記のサイズおよびタイプの車両ホイールのためのものであり、したがって他のサイズおよび／またはタイプの車両ホイールにおいては、「範囲」は記述されている以外のものであってもよいことは明らかである。
【００１８】
[0038]第１の部分１２２は、第１の厚み１３４と第２の厚み１３６との間に湾曲表面１３８も有する。湾曲表面１３８は、概ね軸方向１２８に延在し、第１の半径１４０を有する。第１の半径１４０は、一定でもよく、一様でなくてもよい。好ましくは、第１の半径１４０は、８ミリメートル〜１００ミリメートルの範囲からなる。より好ましくは、第１の半径１４０は、８ミリメートル〜３０ミリメートルの範囲からなる。各第１の部分１２２は、同じ第１の半径１４０を有してもよい。別法として、第１の部分１２２のうちの１つまたは複数は、異なる第１の半径１４０を有してもよい。別法として、第１の部分１２２は、第１の厚み１３４と第２の厚み１３６との間に平坦な表面を有してもよく、その他の形状にされた表面を有してもよい。
【００１９】
[0039]第１の部分１２２は、ホイールリム１０４において軸方向１２８に接合部高さ１４２を有する。接合部高さ１４２は、第２の厚み１３６より大きいことが好ましい。好ましくは、接合部高さ１４２は、１０ミリメートル〜１００ミリメートルの範囲からなる。より好ましくは、接合部高さ１４２は、１０ミリメートル〜４０ミリメートルの範囲からなる。各第１の部分１２２は、同じ接合部高さ１４２を有してもよい。別法として、第１の部分１２２のうちの１つまたは複数は、異なる接合部高さ１４２を有してもよい。
【００２０】
[0040]第２の部分１２４と第３の部分１２６とは、スポーク中心線１３２を挟んで対向する。図示されているように、第２の部分１２４と第３の部分１２６とは、スポーク中心線１３２を挟んで互いに対称であることが好ましい。したがって、第２の部分１２４または第３の部分１２６の一方に関する議論は、第２の部分１２４または第３の部分１２６の他方にも当てはまる。別法として、第２の部分１２４および第３の部分１２６は、スポーク中心線１３２を挟んで互いに対称以外でもよい。
【００２１】
[0041]図示されているように、第２の部分１２４および第３の部分１２６は、スポーク１０８からホイールリム１０４へと周方向１４４に延在し、周方向１４４は、ホイール軸Ｘの周りの円の円周または外辺部を辿る。円は、ホイール軸Ｘに対して好ましくは垂直な平面に存在し、円の中心にホイール軸Ｘを有する。好ましくは、第２の部分１２４および第３の部分１２６は湾曲しており、またスポーク１０８からホイールリム１０４へと軸方向１２８に延在し、すなわち第２の部分１２４および第３の部分１２６は、好ましくは周方向１４４と軸方向１２８の両方に延在する。別法として、第２の部分１２４および第３の部分１２６は、周方向１４４にのみスポーク１０８からホイールリム１０４へと延在してもよい。
【００２２】
[0042]第２の部分１２４および第３の部分１２６は、第３の厚み１４６を有する。図示されているように、第３の厚み１４６は、第１の厚み１３４と第２の厚み１３６のいずれよりも小さいことが好ましい。別法として、第３の厚み１４６は、第１の厚み１３４または第２の厚み１３６に等しくてもよく、第１の厚み１３４または第２の厚み１３６の一方または両方より大きくてもよく、第１の厚み１３４および第２の厚み１３６の一方より大きく、他方より小さくてもよい。好ましくは、第３の厚み１４６は、５ミリメートル〜３０ミリメートルの範囲からなる。より好ましくは、第３の厚み１４６は、５ミリメートル〜１５ミリメートルの範囲からなる。各第２の部分１２４および各第３の部分１２６は、同じ第３の厚み１４６を有してもよい。別法として、第２の部分１２４または第３の部分１２６のうちの１つまたは複数は、異なる第３の厚み１４６を有してもよい。
【００２３】
[0043]第２の部分１２４および第３の部分１２６は、スポーク１０８とホイールリム１０４との間に湾曲縁部１４８を有することが好ましい。湾曲縁部１４８は、第２の半径１５０を有する。第２の半径１５０は、一定でもよく、一様でなくてもよい。好ましくは、第２の半径１５０は、１０ミリメートル〜１００ミリメートルの範囲からなる。より好ましくは、第２の半径１５０は、１０ミリメートル〜６０ミリメートルの範囲からなる。各第２の部分１２４および各第３の部分１２６は、同じ第２の半径１５０を有してもよい。別法として、第２の部分１２４または第３の部分１２６のうちの１つまたは複数は、異なる第２の半径１５０を有してもよい。別法として、第２の部分１２４および第３の部分１２６は、スポーク１０８とホイールリム１０４との間に平坦な面を有してもよく、その他の形状にされた表面を有してもよい。
【００２４】
[0044]さらに、第２の部分１２４および第３の部分１２６は、スポーク１０８からホイールリム１０４の内側縁部１５２に向かって延在する。第２の部分１２４および第３の部分１２６は、第３の半径１５４で内側縁部１５２に向かって湾曲する。好ましくは、第３の半径１５４は、１０ミリメートル〜５０ミリメートルの範囲からなる。より好ましくは、第３の半径１５４は、１０ミリメートル〜３０ミリメートルの範囲からなる。各第２の部分１２４および各第３の部分１２６は、同じ第３の半径１５４を有してもよい。別法として、第２の部分１２４または第３の部分１２６のうちの１つまたは複数は、異なる第３の半径１５４を有してもよい。別法として、第２の部分１２４および第３の部分１２６は、平坦な表面、またはその他の形状にされた表面を用いて、内側縁部１５２に向かって延在してもよい。
【００２５】
[0045]第２の部分１２４および第３の部分１２６は、ホイールリム１０４において周方向１４４に延在する接合部長さ１５６を有する。接合部長さ１５６は、第３の厚み１４６より大きいことが好ましい。図示されているように、接合部長さ１５６は、接合部高さ１４２よりも大きいことが好ましい。別法として、接合部長さ１５６は、接合部高さ１４２以下でもよい。好ましくは、接合部長さ１５６は、５ミリメートル〜５０ミリメートルの範囲からなる。より好ましくは、接合部長さ１５６は、５ミリメートル〜３５ミリメートルの範囲からなる。各第２の部分１２４および各第３の部分１２６は、同じ接合部長さ１５６を有してもよい。別法として、第２の部分１２４または第３の部分１２６のうちの１つまたは複数は、異なる接合部長さ１５６を有してもよい。
【００２６】
[0046]図示されているように、ホイールリム１０４での第１の部分１２２と第２の部分１２４および第３の部分１２６との間の角度１５８は、実質的に９０度（接合部高さ１４２と接合部長さ１５６との間であるように示されている）であることが好ましい。別法として、角度１５８は、９０度以外でもよい。たとえば、角度１５８は９０度を超えてもよい。非限定的な一例として、角度１５８は、第１の部分１２２、第２の部分１２４、および第３の部分１２６がスポーク１０８の周りで周方向に等しく間隔を空けて配置されるように、１２０度であってもよい。
【００２７】
[0047]図示されているように、第１の部分１２２は単一の部材である。別法として、第１の部分１２２は、２つの第１の部分１２２が外側縁部１３０に向かって延在し第２の部分１２４および第３の部分１２６が内側縁部１５２に向かって延在した状態でリム接合部１２０が概ね「Ｘ」の形状を有するように、２つの部材であってもよい。２つの第１の部分１２２ならびに第２の部分１２４および第３の部分１２６は、９０度で均等に間隔を空けられることになることが好ましい。別法として、２つの第１の部分１２２ならびに第２の部分１２４および第３の部分１２６は、９０度以外で間隔を空けられてもよい。
【００２８】
[0048]ブリッジ接合部１６０は、複数のスポーク１０８のうち、隣り合うスポーク間にまたがるかまたはそれらを連結する。非限定的な一例として、ブリッジ接合部１６０は、スポーク１０８のうちの隣り合う対同士の間に、また車両ホイール１００に、追加的な剛性を提供する。ブリッジ接合部１６０は、ホイールディスク１０２に第１の開口１６２および第２の開口１６４を画定する。
【００２９】
[0049]ブリッジ接合部１６０の厚みは、軸方向１２８に一定でもよく、一様でなくてもよい。一定の厚みをもつブリッジ接合部１６０もあれば、一様でない厚みをもつブリッジ接合部１６０もあってもよい。ブリッジ接合部１６０の厚みは、ブリッジ接合部１６０間で異なっていてもよく、ブリッジ接合部１６０のうちの単一のブリッジ接合部１６０において異なっていてもよい。非限定的な一例として、ブリッジ接合部１６０は、一定の厚みで生産され、次いで厚みを変化させるために材料または構造体を機械加工で取り去ってもよい。
【００３０】
[0050]別法として、図７に示されているように、ブリッジ接合部１６０は、ホイールディスク１０２から無くされてもよい。ブリッジ接合部１６０が無くされるとき、より大きい第２の開口１６４が１つだけ、スポーク１０８の隣り合う対同士の間でホイールディスク１０２に提供される。
【００３１】
[0051]１６６で示され、図３Ａに最もよく示されている複数のハブポケットが、内面１１４からホイール取付け部１０６の中へと延在する。ハブポケット１６６は、「深い」とともに、開口していることが好ましい。非限定的な一例として、ハブポケット１６６は、車両ホイール１００の重量を減らす。
【００３２】
[0052]ハブポケット１６６は、ラグボルト受け穴１１８の間の空間に配置される。図示されているように、５つのハブポケット１６６が存在する。別法として、ホイールディスク１０２は、５つ未満、または５つを超えるハブポケット１６６を有してもよい。非限定的な例として、ハブポケット１６６は、ラグボルト受け穴１１８のすべての対同士の間に存在しなくてもよく、または２つ以上のハブポケット１６６がラグボルト受け穴１１８の対同士の間に存在してもよい。図示されているように、ハブポケット１６６は、ホイール取付け部１０６のラグボルト受け穴１１８、ならびに同軸の内側リング１６８および外側リング１７０により、ホイール取付け部１０６に画定される。
【００３３】
[0053]ハブポケット１６６は、（図４に示される）ハブポケット深さ１７２を有する。ハブポケット深さ１７２は、ホイール取付け部高さ１１０より小さいことが好ましい。したがって、ハブポケット１６６は、半径方向に延在する底面壁部１７４を有することが好ましい。底面壁部１７４は、ハブポケット１６６が軸方向１２８において貫通開口にならないように、ハブポケット１６６を画定する。ハブポケット深さ１７２は、底面壁部１７４までである。
【００３４】
[0054]図示されているように、ハブポケット深さ１７２は、内側リング１６８の内側リング高さ１７６だけ、ホイール取付け部高さ１１０より小さいことが好ましい。別法として、ハブポケット深さ１７２は、内側リング高さ１７６以外だけ、ホイール取付け部高さ１１０より小さくてもよい。好ましくは、ハブポケット深さ１７２は、１０ミリメートル〜６０ミリメートルの範囲からなる。より好ましくは、ハブポケット深さ１７２は、１０ミリメートル〜４５ミリメートルの範囲からなる。各ハブポケット１６６は、同じハブポケット深さ１７２を有してもよい。別法として、ハブポケット１６６のうちの１つまたは複数は、異なるハブポケット深さ１７２を有してもよい。別法として、ハブポケット１６６は、ホイールディスク１０２から無くされてもよい。
【００３５】
[0055]図３Ａに最もよく示されているように、ハブポケット１６６は、その側壁１８０にハブポケット開口１７８を有することが好ましい。側壁１８０は、軸方向１２８に延在し、ホイール取付け部１０６の半径方向外方の区域である。外側リング１７０は、内面１１４において、側壁１８０にそろうかまたはその他の方法で側壁１８０に「蓋」をする。ハブポケット開口１７８は、ハブポケット開口幅１８２とハブポケット開口高さ１８４とを有する。各ハブポケット開口１７８は、同じハブポケット開口幅１８２および同じハブポケット高さ１８４を有してもよい。別法として、ハブポケット開口１７８のうちの１つまたは複数は、異なるハブポケット幅１８２または異なるハブポケット高さ１８４を有してもよい。別法として、ハブポケット開口１７８は、そう所望される場合、ホイールディスク１０２から無くされてもよい。
【００３６】
[0056]内側リング１６８は、所定の厚み１８６を有する。好ましくは、内側リング厚み１８６は、５ミリメートル〜５０ミリメートルの範囲からなる。外側リング１７０は、厚み１８８を有する。好ましくは、外側リング厚み１８８は、５ミリメートル〜１０ミリメートルの範囲からなる。図示されているように、内側リング厚み１８６は、外側リング厚み１８８より大きい。別法として、内側リング厚み１８６は、外側リング厚み１８８以下でもよい。内側リング１６８および外側リング１７０は、ハブポケット１６６の底面壁部１７４に対して概ね垂直である。
【００３７】
[0057]図３において１９０で示されるように、外側リング１７０は、好ましくはラグボルト受け穴１１８の接線になっており、ラグボルト受け穴１１８の間にまたがる。好ましくは、図３Ａに示されるように、内側リング１６８の半径方向内側面から外側リング１７０の半径方向外側面までの距離１９２は、１０ミリメートル〜５０ミリメートルの範囲からなる。より好ましくは、内側リング１６８の半径方向内側面から外側リング１７０の半径方向外側面までの距離１９２は、１０ミリメートル〜３５ミリメートルの範囲からなる。外側リング１７０は、ホイールディスク１０２から無くされてもよい。非限定的な一例として、車両ホイール１００の重量は、外側リング１７０を無くすことによって減じられる。外側リング１７０が無くされるとき、スポーク１０８はブリッジ接合部１６０によって連結され、ハブポケット１６６は、ラグボルト受け穴１１８および外側リング１７０によってホイール取付け部１０６に画定される。
【００３８】
[0058]好ましくは、全体を１９４で示され、図２Ｂに最もよく示されているスポークポケットまたはスポーク凹部が、外面１１２からスポーク１０８の中へと延在する。別法として、スポークポケット１９４は、内面１１４からスポーク１０８の中へと延在してもよい。非限定的な例として、スポークポケット１９４は車両ホイール１００の重量を減じ、スポーク１０８に追加的なスチフネスを提供する。また、各スポーク１０８に単一のスポークポケット１９４のみが提供されるように示されているが、そう所望される場合、スポーク１０８のうちの１つまたは複数には、２つ以上のスポークポケット１９４が提供されてもよい。
【００３９】
[0059]図示されているように、スポークポケット１９４は、外面１１２において、概して楕円形状にされることが好ましい。別法として、スポークポケット１９４は、楕円以外の形状にされてもよい。たとえば、スポークポケット１９４は、たとえば円形、長方形、またはその他の多角形形状などの、任意の所望の形状でもよい。たとえば、スポークポケット１９４は、一連の直線、曲線、または直線と曲線の組合せによって外面１１２に画定されてもよい。スポークポケット１９４は、スポーク１０８のスポーク中心線１３２について対称であることが好ましい。別法として、スポークポケット１９４は、スポーク中心線１３２について対称以外でもよく、かつ／またはホイールディスク１０２から無くされてもよい。
【００４０】
[0060]スポークポケット１９４は、好ましくはスポーク中心線１３２に概ね平行なポケット長さ１９６と、ポケット長さ１９６に対して横方向のポケット幅１９８と、軸方向１２８に、スポーク１０８の中へと延在するポケット深さ２００とを有する。図示されているように、ポケット長さ１９６は、ポケット幅１９８より大きいことが好ましい。別法として、ポケット長さ１９６は、ポケット幅１９８以下でもよい。図示されているように、ポケット幅１９８は、ポケット深さ２００より大きい。別法として、ポケット幅１９８は、ポケット深さ２００以下でもよい。
【００４１】
[0061]好ましくは、ポケット長さ１９６は、５０ミリメートル〜１５０ミリメートルの範囲からなり、ポケット幅１９８は、２０ミリメートル〜６０ミリメートルの範囲からなり、ポケット深さ２００は、５ミリメートル〜５０ミリメートルの範囲からなる。より好ましくは、ポケット長さ１９６は、５０ミリメートル〜１２０ミリメートルの範囲からなり、ポケット幅１９８は、２０ミリメートル〜４５ミリメートルの範囲からなり、ポケット深さ２００は、５ミリメートル〜３０ミリメートルの範囲からなる。各スポークポケット１９４は、同じポケット長さ１９６、同じポケット幅１９８、および同じポケット深さ２００を有してもよい。別法として、スポークポケット１９４のうちの１つまたは複数は、異なるポケット長さ１９６、異なるポケット幅１９８、および／または異なるポケット深さ２００を有してもよい。
【００４２】
[0062]スポークポケット１９４は、第１の側壁２０２および第２の側壁２０４によって画定される。図示されているように、第１の側壁２０２と第２の側壁２０４とは、スポーク中心線１３２を挟んで互いに対称であることが好ましい。別法として、第１の側壁２０２と第２の側壁２０４とは、スポーク中心線１３２を挟んで互いに対称以外でもよい。図示されているように、第１の側壁２０２および第２の側壁２０４は、それらが外面１１２からスポーク１０８の中へと延在するにつれて、互いに向かって内側に傾斜することが好ましい。これにより、ポケット幅１９８は外面１１２において最大になり、次いで底表面２０６での最小値まで減少する。別法として、ポケット幅１９８は外面１１２から底表面２０６に向かって増加してもよく、一定のままでもよい。
【００４３】
[0063]第１の側壁２０２および第２の側壁２０４は、側壁厚み２０８を有する。好ましくは、側壁厚み２０８は、５ミリメートル〜２０ミリメートルの範囲からなる。より好ましくは、側壁厚み２０８は、５ミリメートル〜１５ミリメートルの範囲からなる。各スポークポケット１９４は、同じ側壁厚み２０８を有してもよい。別法として、スポークポケット１９４のうちの１つまたは複数は、異なる側壁厚み２０８を有してもよい。好ましくは、第１の側壁２０２および第２の側壁２０４において、側壁厚み２０８は一定である。別法として、第１の側壁２０２および第２の側壁２０４の一方または両方において、側壁厚み２０８は一様でなくてもよい。別法として、第１の側壁２０２は側壁厚み２０８を有し、第２の側壁２０４は異なる側壁厚みを有してもよい。
【００４４】
[0064]ポケット深さ２００は、ホイール取付け部１０６に隣り合うかまたは近い第１の端部２１０からホイールリム１０４に隣り合うかまたは近い第２の端部２１２へと、スポークポケット１９４が延在するにつれて減少することが好ましい。ポケット深さ２００は、第２の端部２１２でゼロかまたは実質的にゼロになるまで減少することが好ましい。図示されているように、ポケット深さ２００は、全体を２１６で示す第２の領域において減少するまで、全体を２１４で示す第１の領域においては、実質的に一定であることが好ましい。別法として、ポケット深さ２００は、第１の端部２１０と第２の端部２１２との間で、一定の比率または一様でない比率で減少してもよい。別法として、ポケット深さ２００は、第１の端部２１０と第２の端部２１２との間で連続的に増加してもよく、増減するように変化してもよい。
【００４５】
[0065]ポケット深さ２００が減少する間、ポケット底表面２０６は平坦なままであることが好ましい。別法として、ポケット底表面２０６のうちの１つまたは複数は、平坦以外であってもよい。
【００４６】
[0066]図示されているように、スポークポケット１９４の楕円形状は、第１の端部２１０では連続的でないことが好ましい。代わりに、第１の端部２１０は、好ましくは（図２Ｂにおいて破線で示される）折れ目２１３、または楕円形状におけるその他の非連続的な点を有する。別法として、スポークポケット１９４の楕円形状は、第１の端部２１０において連続的であってもよい。
【００４７】
[0067]さらに、スポークポケット１９４は、第１の端部２１０と第２の端部２１２との間に、（スポーク中心線１３２に対して横方向の）一様でない部分を有してもよい。
[0068]図示されているように、スポークポケット１９４は、外面１１２からスポーク１０８の中へと延在することが好ましい。別法として、すべてのスポークポケット１９４を含む１つまたは複数のスポークポケット１９４は、内面１１４からスポーク１０８の中へと延在してもよい。
【００４８】
[0069]全体を２１８で示され、図２Ｃに最もよく示されているナットポケットが、ナットポケット側壁２２０が形成されるように、ラグボルト受け穴１１８において外面１１２からホイール取付け部１０６の中へと延在することが好ましい。ナットポケット側壁２２０は、ホイール軸Ｘに実質的に平行であることが好ましい。ナットポケット２１８は、深さ２２２を有する。ナットポケット２１８は、「深い」ナットポケットであることが好ましい。非限定的な一例として、ナットポケット２１８は、スポーク１０８に追加的なスチフネスを提供する。好ましくは、ナットポケット深さ２２２は、１０ミリメートル〜５０ミリメートルの範囲からなる。より好ましくは、ナットポケット深さ２２２は、１０ミリメートル〜３５ミリメートルの範囲からなる。各ナットポケット２１８は、同じナットポケット深さ２２２を有してもよい。別法として、ナットポケット２１８のうちの１つまたは複数は、異なるナットポケット深さ２２２を有してもよい。別法として、ナットポケット２１８は、ホイールディスク１０２から無くされてもよい。
【００４９】
[0070]全体を２２４で示され、図４に最もよく示されているスポーク開始部が、ホイール取付け部１０６と各スポーク１０８との間に位置付けられることが好ましい。別法として、スポーク開始部２２４は、各スポーク１０８よりも少ない数だけ配置されてもよい。スポーク開始部２２４は、スポーク１０８とホイール取付け部１０６との間にスポーク開始高さ２２６を有する。好ましくは、また図示されているように、スポーク開始高さ２２６は、スポーク高さ２２８より大きい。非限定的な一例として、スポーク開始部２２４は、スポーク１０８に追加的なスチフネスを提供する。好ましくは、スポーク開始高さ２２６は１０ミリメートル〜７０ミリメートルの範囲からなり、スポーク高さ２２８は１０ミリメートル〜５０ミリメートルの範囲からなる。より好ましくは、スポーク開始高さ２２６は１０ミリメートル〜５５ミリメートルの範囲からなり、スポーク高さ２２８は１０ミリメートル〜３５ミリメートルの範囲からなる。各スポーク開始部２２４は、同じスポーク開始高さ２２６を有してもよい。別法として、スポーク開始部２２４のうちの１つまたは複数は、異なるスポーク開始高さ２２６を有してもよい。別法として、スポーク開始高さ２２６は、スポーク高さ２２６以下でもよく、スポーク開始部２２４は、ホイールディスク１０２から無くされてもよい。
【００５０】
[0071]図５に最もよく示されているように、ホイールディスク１０２、すなわちホイールディスク１０２の外面１１２は、ホイールリム１０４の外側縁部１３０からリムオフセット距離２３０だけ外方へ突出または延在する。リムオフセット距離２３０は、ホイールディスク１０２の外面１１２の、ホイールリム１０４から最も遠い区域または突出部であり、すなわち、ホイールディスク１０２の外面１１２の一部はホイールリム１０４からリムオフセット距離２３０未満であってもよいが、好ましくは、外面１１２にはリムオフセット距離２３０よりホイールリム１０４から遠い部分は存在しない。非限定的な一例として、リムオフセット距離２３０は、車両ホイール１００に追加的なスチフネスを提供する。好ましくは、リムオフセット距離２３０は、１０ミリメートル〜３０ミリメートルの範囲からなる。より好ましくは、リムオフセット距離２３０は、１０ミリメートル〜２０ミリメートルの範囲からなる。別法として、ホイールディスク１０２の外面１１２は、ホイールリム１０４から外方へ延在しなくてもよい。すなわち、リムオフセット距離２３０はゼロでもよく、ゼロ未満でもよく、ホイールディスク１０２から無くされてもよい。
【００５１】
[0072]好ましくは、ホイールディスク１０２、したがってホイールディスク１０２を有する車両ホイール１００は、高いホイールオフセットを有し、関連付けられた車両ブレーキ、たとえばディスクブレーキ組立体、ドラムブレーキ組立体、またはドラムインハットブレーキ組立体にクリアランスを提供する。
【００５２】
[0073]好ましくは、リム接合部１２０、ブリッジ接合部１６０、ハブポケット１６６、ハブポケット開口１７８、外側リング１７０、スポークポケット１９４、ナットポケット２１８、スポーク開始部２２４、リムオフセット距離２３０、高いホイールオフセット、ブレーキクリアランス、および／またはホイールディスク１０２の他の特徴のうちの１つまたは複数は、好ましくはホイールディスク１０２（またはこのようなホイールディスク１０２を有する車両ホイール１００）の鋳造中に形成される。鋳造上のいかなる制約も、鋳造中に材料厚みを追加することにより、すなわち、ホイールディスク１０２の外面１１２および／または内面１１４に材料を追加することにより、補償され得る。追加された材料厚みは、後に機械加工で取り去られて、リム接合部１２０、ブリッジ接合部１６０、ハブポケット１６６、ハブポケット開口１７８、外側リング１７０、スポークポケット１９４、ナットポケット２１８、スポーク開始部２２４、リムオフセット距離２３０、高いホイールオフセット、ブレーキクリアランス、および／またはホイールディスク１０２の他の特徴のうちの１つまたは複数を形成することができる。
【００５３】
[0074]好ましくは、車両ホイール１００は少なくともリム接合部１２０を含むが、ブリッジ接合部１６０、ハブポケット１６６、ハブポケット開口１７８、外側リング１７０、スポークポケット１９４、ナットポケット２１８、スポーク開始部２２４、リムオフセット距離２３０、車両ホイール１００およびホイールディスク１０２の一体式鋳造もしくは別々の鋳造、高いホイールオフセット、ブレーキクリアランス、ならびに／または車両ホイール１００に関して論じられた他の特徴のうちの１つもしくは複数は、無くされてもよい。別法として、リム接合部１２０は無くされ、車両ホイール１００は、ブリッジ接合部１６０、ハブポケット１６６、ハブポケット開口１７８、外側リング１７０、スポークポケット１９４、ナットポケット２１８、スポーク開始部２２４、リムオフセット距離２３０、車両ホイール１００およびホイールディスク１０２の一体式鋳造もしくは別々の鋳造、高いホイールオフセット、ブレーキクリアランス、ならびに／または車両ホイール１００に関して論じられた他の特徴の組合せを備えてもよい。
【００５４】
[0075]ここで図８および図９を参照すると、全体を３００で示される、本発明による車両ホイールの第２の実施形態が図示されている。車両ホイール３００は図１〜図７の車両ホイール１００の一変形形態であるので、２００だけ増やされた同様の参照符号は、図面中の対応する部分を示し、その詳細な説明は割愛される。
【００５５】
[0076]車両ホイール３００は、スポーク３０８とホイールリム３０４との間にリム接合部３２０を有する。リム接合部３２０は、全体を３２２で示される第１の部分と、全体を３２４で示される第２の部分と、全体を３２６で示される第３の部分とを有して、ホイールリム３０４に各スポーク３０８を連結する。
【００５６】
[0077]図示されているように、第１の部分３２２は、実質的に平行な第１のフォーク４３２と第２のフォーク４３４とに二股分岐する。別法として、第１の部分３２２は、単一のフォークでもよい。別法として、第１のフォーク４３２および第２のフォーク４３４は、スポーク３０８とホイールリム３０４との間で収束および／または発散する、すなわち平行以外であってもよい。
【００５７】
[0078]第１のフォーク４３２と第２のフォーク４３４とは、第１のフォーク４３２と第２のフォーク４３４との間に画定される第１の部分の開口４３８が存在するように、距離４３６だけ隔てられる。好ましくは、距離４３６は１０ミリメートル〜７０ミリメートルの範囲からなる。より好ましくは、距離４３６は、１０ミリメートル〜５０ミリメートルの範囲からなる。図示されているように、第１の部分の開口４３８は、周方向３４４において、中心線３３２を中心とする。別法として、第１の部分の開口４３８は、周方向３４４において、中心線３３２以外を中心としてもよい。別法として、第１の部分の開口４３８は無くされてもよい。
【００５８】
[0079]周方向３４４において、第１のフォーク４３２は第１の厚み４４０を有し、第２のフォーク４３４は第２の厚み４４２を有する。第１の厚み４４０と第２の厚み４４２とは等しいことが好ましい。別法として、第１の厚み４４０は、第２の厚み４４２より大きくてもよく、小さくてもよい。好ましくは、第１の厚み４４０は、１０ミリメートル〜５０ミリメートルの範囲からなる。より好ましくは、第１の厚み４４０は、１０ミリメートル〜３０ミリメートルの範囲からなる。各第１のフォーク４３２は同じ第１の厚み４４０を有してもよく、各第２のフォーク４３４は同じ第２の厚み４４２を有してもよい。別法として、第１のフォーク４３２または第２のフォーク４３４のうちの１つまたは複数は、異なる第１の厚み４４０または異なる第２の厚み４４２を有してもよい。
【００５９】
[0080]図示されているように、第１の厚み４４０および第２の厚み４４２は、スポーク３０８とホイールリム３０４との間で実質的に一定である。別法として、第１の厚み４４０および第２の厚み４４２のうちの一方または両方は、スポーク３０８とホイールリム３０４との間で変化してもよい。たとえば、第１の厚み４４０および／または第２の厚み４４２は、スポーク３０８とホイールリム３０４との間で増加または減少してもよい。
【００６０】
[0081]どちらも軸方向３２８において、第１のフォーク４３２は第１の高さ４４４をさらに有し、第２のフォーク４３４は第２の高さ４４６をさらに有する。第１の高さ４４４と第２の高さ４４６とは等しいことが好ましい。別法として、第１の高さ４４４は第２の高さ４４６より大きくてもよく、小さくてもよい。好ましくは、第１の高さ４４４は、１０ミリメートル〜５０ミリメートルの範囲からなる。より好ましくは、第１の高さ４４４は、１０ミリメートル〜３５ミリメートルの範囲からなる。各第１のフォーク４３２は同じ第１の高さ４４４を有してもよく、各第２のフォーク４３４は同じ第２の高さ４４６を有してもよい。別法として、第１のフォーク４３２または第２のフォーク４３４のうちの１つまたは複数は、異なる第１の高さ４４４または異なる第２の高さ４４６を有してもよい。
【００６１】
[0082]図示されているように、第１の高さ４４４および第２の高さ４４６は、スポーク３０８とホイールリム３０４との間で実質的に一定である。別法として、第１の高さ４４４および第２の高さ４４６の一方または両方は、スポーク３０８とホイールリム３０４との間で変化してもよい。たとえば、第１の高さ４４４および／または第２の高さ４４６は、スポーク３０８とホイールリム３０４との間で増加または減少してもよい。
【００６２】
[0083]第１の高さ４４４は第１の厚み４４０よりも実質的に大きく、第２の高さ４４６は第２の厚み４４２よりも実質的に大きいことが好ましい。その結果、第１の部分３２２は、周方向３４４よりも軸方向３１８に長く延在する。別法として、第１の高さ４４４は、第１の厚みよりも実質的に大きくなくても第１の厚み４４０以下でもよく、第２の高さ４４６は、第２の厚み４４２よりも実質的に大きくなくても第２の厚み４４２以下でもよい。非限定的な例として、第１のフォーク４３２および第２のフォーク４３４は、スポーク３０８とホイールリム３０４との間で、軸方向３１８の追加的なスチフネスを提供する。
【００６３】
[0084]第２の部分３２４および第３の部分３２６も、第３のフォーク４４８と第４のフォーク４５０とにそれぞれ二股分岐する（第３のフォーク４４８および第４のフォーク４５０は、スポーク中心線３３２を挟んで対称である）。別法として、第２の部分３２４および第３の部分３２６は、二股分岐以外であってもよい。別法として、第２の部分３２４および第３の部分３２６のうちの一方は二股分岐しないが、第２の部分３２４および第３の部分３２６のうちの他方は二股分岐してもよい。第３のフォーク４４８と第４のフォーク４５０とは、それらがスポーク３０８からホイールリム３０４へと延在するにつれて、互いから発散することが好ましい。別法として、第３のフォーク４４８および第４のフォーク４５０は、平行でもよく、スポーク３０８からホイールリム３０４へと収束してもよい。
【００６４】
[0085]さらに、第２の部分３２４および第３の部分３２６は、スポーク中心線３３２から、かつ互いに発散する。第２の部分３２４および第３の部分３２６は、スポーク中心線３３２から、そのスポーク中心線３３２から最も離れた点までの、発散距離４５２をそれぞれ有する（たとえば、図８Ａを見たとき、第３の部分３２６の最も離れた点は、第４のフォーク４５０の最も右側の点である）。好ましくは、発散距離４５２は、第１の高さ４４４および第２の高さ４４６よりも実質的に大きい。非限定的な一例として、発散距離４５２は、スポーク３０８とホイールリム３０４との間で周方向３４４に追加的なスチフネスを提供する。好ましくは、発散距離４５２は、１００ミリメートル〜１８０ミリメートルの範囲からなる。より好ましくは、発散距離４５２は、１００ミリメートル〜１６０ミリメートルの範囲からなる。
【００６５】
[0086]第３のフォーク４４８と第４のフォーク４５０との発散構成は、第３のフォーク４４８と第４のフォーク４５０との間に凹部または開口４５４を画定する。全体を４５６で示されるホイールリム３０４のリムプロファイルは、凹部４５４が外面３１２と内面３１４との間に延在する貫通開口にならないように、凹部４５４を閉じるかまたは閉鎖する。別法として、リムプロファイル４５６は、凹部４５４が外面３１２から内面３１４への貫通開口になるようなものであってもよい。
【００６６】
[0087]どちらも周方向３４４において、第３のフォーク４４８は第３の厚み４５８を有し、第４のフォーク４５０は第４の厚み４６０を有する。第３の厚み４５８と第４の厚み４６０とは、等しいことが好ましい。別法として、第３の厚み４５８は、第４の厚み４６０より大きくてもよく、小さくてもよい。好ましくは、第３の厚み４５８は５ミリメートル〜２０ミリメートルの範囲からなり、第４の厚み４６０は５ミリメートル〜２０ミリメートルの範囲からなる。より好ましくは、第３の厚み４５８は５ミリメートル〜１５ミリメートルの範囲からなり、第４の厚み４６０は５ミリメートル〜１５ミリメートルの範囲からなる。別法として、第３のフォーク４４８または第４のフォーク４５０のうちの１つまたは複数は、異なる第３の厚み４５８または異なる第４の厚み４６０を有してもよい。
【００６７】
[0088]図示されているように、第３の厚み４５８および第４の厚み４６０は、スポーク３０８とホイールリム３０４との間で実質的に一定である。別法として、第３の厚み４５８および第４の厚み４６０のうちの一方または両方は、スポーク３０８とホイールリム３０４との間で一定以外であってもよい。たとえば、第３の厚み４５８および／または第４の厚み４６０は、スポーク３０８とホイールリム３０４との間で増加または減少してもよい。
【００６８】
[0089]どちらも軸方向３２８において、第３のフォーク４４８は第３の高さ４６２をさらに有し、第４のフォーク４５０は第４の高さ４６４をさらに有する。第３の高さ４６２と第４の高さ４６４とは、第３のフォーク４４８および第４のフォーク４５０に沿った対応する位置では、等しいことが好ましい。別法として、第３の高さ４６２は、第３のフォーク４４８および第４のフォーク４５０に沿った対応する位置において第４の高さ４６４より大きくてもよく、小さくてもよい。好ましくは、第３の高さ４６２は、１０ミリメートル〜６０ミリメートルの範囲からなる。より好ましくは、第３の高さ４６２は、１０ミリメートル〜４５ミリメートルの範囲からなる。各第３のフォーク４４８は同じ第３の高さ４６２を有してもよく、各第４のフォーク４５０は同じ第４の高さ４６４を有してもよい。別法として、第３のフォーク４４８または第４のフォーク４５０のうちの１つまたは複数は、異なる第３の高さ４６２または異なる第４の高さ４６４を有してもよい。
【００６９】
[0090]図示されているように、第３の高さ４６２および第４の高さ４６４は、スポーク３０８からホイールリム３０４に向けて増加する。別法として、第３の高さ４６２および第４の高さ４６４のうちの一方または両方は、スポーク３０８とホイールリム３０４との間で一定でもよく、減少していてもよい。
【００７０】
[0091]第３の高さ４６２は第３の厚み４５８よりも実質的に大きく、第４の高さ４６４は第４の厚み４６０よりも実質的に大きいことが好ましい。その結果、第２の部分３２４および第３の部分３２６は、軸方向３２８よりも周方向３４４に実質的に長く延在する。第２の部分３２４および第３の部分３２６は、スパン距離４６６にわたって周方向３２６に延在する。別法として、第３の高さ４６２は、第３の厚み４５８よりも実質的に大きくなくても第３の厚み４５８以下でもよく、第４の高さ４６４は、第４の厚み４６０よりも実質的に大きくなくても第４の厚み４６０以下でもよい。非限定的な例として、第３のフォーク４４８および第４のフォーク４５０は、スポーク３０８とホイールリム３０４との間で、周方向３４４の追加的なスチフネスを提供する。
【００７１】
[0092]発散距離４５２は、第３の高さ４６２および第４の高さ４６２よりも実質的に大きい。別法として、発散距離４５２は、第３の高さ４６２および第４の高さ４６４より実質的に大きくなくてもよい。
【００７２】
[0093]好ましくは、また図示されているように、第１の高さ４４４と、第２の高さ４４６と、第３の高さ４６２と、第４の高さ４６４とは等しい。別法として、第１の高さ４４４、第２の高さ４４６、第３の高さ４６２、または第４の高さ４６４のうちの１つまたは複数は、他のものとは異なっていてもよい。
【００７３】
[0094]各スポーク３０８は、外面３１２から内面３１４へとホイールディスク３０２を通るスポークポケット開口４６８を備えるスポークポケット３９４を有する。さらに、スポークポケット３９４は、外面３１２において概ね三角形の形状を有する。スポークポケット３９４のポケット幅３９８は、ホイール取付け部３０６からホイールリム３０４に向けて増加する。
【００７４】
[0095]ここで図１０〜図１２を参照すると、全体を５００で示される、車両ホイールの第３の実施形態が図示されている。車両ホイール５００は図８および図９の車両ホイール３００の一変形形態であるので、２００だけ増やされた同様の参照符号は、図面中の対応する部分を示し、その詳細な説明は割愛される。
【００７５】
[0096]図示されているように、第１のフォーク６３２および第２のフォーク６３４は、スポーク５０８とホイールリム５０４との間で平行以外になっている。図示されているように、スポーク５０８からホイールリム５０４に向けて、第１のフォーク６３２と第２のフォーク６３４とは、初めは収束し、その後、それに続いて発散する。さらに、第１のフォーク６３２および第２のフォーク６３４の第１の幅６７０は、スポーク５０８からホイールリム５０４に向けて、初めは減少し、次にそれに続いて増加し、第１の幅６７０は、周方向５２６である。好ましくは、第１の幅６７０は、５ミリメートル〜２０ミリメートルの間で変化する範囲からなる。より好ましくは、第１の幅６７０は、５ミリメートル〜１５ミリメートルの間で変化する範囲からなる。別法として、第１の幅６７０は、スポーク５０８からホイールリム５０４に向けて、初めは減少し、次にそれに続いて増加する以外であってもよい。非限定的な例として、第１の幅６７０は、スポーク５０８からホイールリム５０４まで一定でもよい。
【００７６】
[0097]第２の部分５２４および第３の部分５２６は、二股分岐しない。第２の部分５２４および第３の部分５２６の第２の幅６７２はスポーク５０８からホイールリム５０４に向けて増加し、第２の幅６７２は周方向５２６である。好ましくは、第２の幅６７２は、５ミリメートル〜３０ミリメートルの間で変化する範囲からなる。より好ましくは、第２の幅６７２は、５ミリメートル〜１５ミリメートルの間で変化する範囲からなる。別法として、第２の幅６７２は、スポーク５０８からホイールリム５０４に向けて増加する以外であってもよい。非限定的な例として、第２の幅６７２は一定でもよく、スポーク５０８からホイールリム５０４に向けて減少してもよく、その他の方法で変化してもよい。
【００７７】
[0098]ここで図１３および図１４を参照すると、全体を７００で示される、車両ホイールの第４の実施形態が図示されている。車両ホイール７００は図１〜図７の車両ホイール１００の一変形形態であるので、６００だけ増やされた同様の参照符号は、図面中の対応する部分を示し、その詳細な説明は割愛される。
【００７８】
[0099]車両ホイール７００は、スポーク７０８とホイールリム７０４との間にリム接合部７２０を有する。リム接合部７２０は、全体を７２２で示す第１の部分と、第２の部分７２４と、第３の部分７２６とを有して、ホイールリム７０４に各スポーク７０８を連結する。
【００７９】
[00100]図示されているように、第１の部分７２２は、第１のフォーク８７４および第２のフォーク８７６に二股分岐する。別法として、第１の部分７２２は二股分岐しなくてもよい。第１のフォーク８７４と第２のフォーク８７６とは、実質的に平行である。別法として、第１のフォーク８７４および第２のフォーク８７６は、スポーク７０８とホイールリム７０４との間で収束および／または発散してもよい。
【００８０】
[00101]第１のフォーク８７４と第２のフォーク８７６とは、第１のフォーク８７４と第２のフォーク８７６との間に第１の部分の凹部８８０が存在するように、距離８７８だけ隔てられる。好ましくは、距離８７８は、５ミリメートル〜４０ミリメートルの範囲からなる。より好ましくは、距離８７８は、５ミリメートル〜３０ミリメートルの範囲からなる。図示されているように、第１の部分の凹部８８０は、周方向７４４において、スポーク中心線７３２を中心とする。別法として、第１の部分の凹部８８０は、周方向７４４において、中心線７３２以外を中心としてもよい。別法として、第１の部分の凹部８８０は無くされてもよい。
【００８１】
[00102]どちらも周方向７４４において、第１のフォーク８７４は第１の厚み８８２を有し、第２のフォーク８７６は第２の厚み８８４を有する。第１の厚み８８２と第２の厚み８８４とは等しいことが好ましい。別法として、第１の厚み８８２は、第２の厚み８８４より大きくてもよく、小さくてもよい。好ましくは、第１の厚み８８２は、５ミリメートル〜２０ミリメートルの範囲からなる。より好ましくは、第１の厚み８８２は、５ミリメートル〜１５ミリメートルの範囲からなる。各第１のフォーク８７４は同じ第１の厚み８８２を有してもよく、各第２のフォーク８７６は同じ第２の厚み８８４を有してもよい。別法として、第１のフォーク８７４または第２のフォーク８７６のうちの１つまたは複数は、異なる第１の厚み８８２または異なる第２の厚み８８４を有してもよい。
【００８２】
[00103]図示されているように、第１の厚み８８２および第２の厚み８８４は、スポーク７０８とホイールリム７０４との間で実質的に一定である。別法として、第１の厚み８８２および第２の厚み８８４の一方または両方は、スポーク７０８とホイールリム７０４との間で変化してもよい。
【００８３】
[00104]第１の部分７２２は、周方向７４４よりも軸方向７２８に実質的に長く延在する。非限定的な例として、第１のフォーク８７４および第２のフォーク８７６は、スポーク７０８とホイールリム７０４との間で軸方向７１８に追加的なスチフネスを提供する。
【００８４】
[00105]第２の部分７２４は、隣接するスポーク７０８の第３の部分７２６に接合され、逆も同様である。第２の部分７２４と第３の部分７２６とは、（図１３Ａにおいて破線で示される）中間点８８６で互いに接合する。したがって、第２の部分７２４および第３の部分７２６は、隣接するスポーク７０８同士の間で連続的な部材を形成する。
【００８５】
[00106]スポーク７０８は、スポークポケット７９４を有する。図示されているように、スポークポケット７９４は、外面７１２と内面７１４との間でスポーク７０８を貫通する開口である。別法として、スポークポケット７９４は、スポーク７０８を貫通しない単なる凹部であってもよい。
【００８６】
[00107]本発明の原理および動作モードが、その種々の実施形態において説明されてきた。しかし、本発明は、その範囲から逸脱しない限り、具体的に例示および説明されたものとは異なる方法で実施されてもよいことに留意されたい。
【図１】
2019528208.tif 000003
【図２】
2019528208.tif 000004
【図２Ａ】
2019528208.tif 000005
【図２Ｂ】
2019528208.tif 000006
【図２Ｃ】
2019528208.tif 000007
【図３】
2019528208.tif 000008
【図３Ａ】
2019528208.tif 000009
【図４】
2019528208.tif 000010
【図５】
2019528208.tif 000011
【図６】
2019528208.tif 000012
【図７】
2019528208.tif 000013
【図８】
2019528208.tif 000014
【図８Ａ】
2019528208.tif 000015
【図９】
2019528208.tif 000016
【図１０】
2019528208.tif 000017
【図１０Ａ】
2019528208.tif 000018
【図１１】
2019528208.tif 000019
【図１２】
2019528208.tif 000020
【図１３】
2019528208.tif 000021
【図１３Ａ】
2019528208.tif 000022
【図１４】
2019528208.tif 000023
【国際調査報告】
2019528208.tif 000024
2019528208.tif 000025